(57)【特許請求の範囲】
【請求項１】
被照射面に光を照射させる主光源と、前記被照射面に前記主光源と異なる角度から光を照射させる補助光源と、前記補助光源の点灯を制御する照明制御部と、検知領域における障害物の存在を検知して検知信号を出力するセンサ部と、を備え、
前記照明制御部は、
前記主光源のみを点灯させる普段モードと、
前記主光源を所定の第１調光レベルで点灯させ、前記補助光源を所定の第２調光レベルで点灯させる夜間モードと、
前記検知信号に基づき前記補助光源の点灯を制御させて、前記主光源から照射される光が前記障害物で妨げられて生ずる影を低減させる影低減モードと
を有し、
前記障害物は、無線機能を備えた電子機器であり、
前記照明制御部は、前記電子機器と通信する無線通信部と接続されており、前記電子機器から前記無線通信部を介して受信した無線信号に基づいて、前記影低減モードで制御し、
前記照明制御部は、前記電子機器から所定の無線信号を前記無線通信部を介して受信すると、前記影低減モードを終了することを特徴とする照明制御システム。
【請求項２】
前記照明制御部は、前記主光源から前記被照射面への光に対し、前記補助光源から前記被照射面へ照射される光の光強度を強くすることを特徴とする請求項１に記載の照明制御システム。
【請求項３】
前記照明制御部は、さらに、前記主光源の点灯を制御でき、前記影低減モードの場合、前記主光源からの光を低減させる制御を行うことを特徴とする請求項１または請求項２に記載の照明制御システム。
【請求項４】
前記補助光源は、色域面積比が１００以上の光を前記被照射面に照射させることを特徴とする請求項１ないし請求項３のいずれか１項に記載の照明制御システム。
【請求項５】
前記主光源は、前記被照射面として食卓を含むように配置されていることを特徴とする請求項４に記載の照明制御システム。
【請求項６】
前記センサ部は、画像センサであることを特徴とする請求項１ないし請求項５のいずれか１項に記載の照明制御システム。
【請求項７】
前記主光源と前記補助光源とは、１つの照明器具に備えられていることを特徴とする請求項１ないし請求項６のいずれか１項に記載の照明制御システム。
【発明の詳細な説明】
【技術分野】
【０００１】
本発明は、照明制御システムに関し、特に、主光源と補助光源とを備えた照明制御システムに関する。
【背景技術】
【０００２】
今日、自己の意見や感想などをブログ上に記し、写真をアップロードすることが盛んに行われている。ブログには、たとえば、レストランの料理や家庭での料理などを撮影した写真がアップロードされることがある。写真の撮影は、通常、照明器具からの光が照射された環境下で行われる。
【０００３】
照明器具としては、たとえば、アッパーユニットと、ロアーユニットと、制御部と、を備えた構成が知られている（たとえば、特許文献１を参照）。
【０００４】
特許文献１の照明器具では、補助光源たるアッパーユニットが主に上方空間側を照射し、主光源たるロアーユニットが下方空間側を照射する。特許文献１の照明器具は、制御部がアッパーユニットとロアーユニットとを制御する制御パターンを変更することで、部屋の雰囲気を変更できる、としている。
【先行技術文献】
【特許文献】
【０００５】
【特許文献１】特開２０１２−１５５９３８号公報
【発明の概要】
【発明が解決しようとする課題】
【０００６】
ところで、人が料理を撮影などする場合、人やカメラなどが料理に被るようにして撮影される場合もあり、照明器具の被照射面では、主光源からの光が人やカメラなどの障害物によって妨げられて、意図せず障害物の影が重なる場合がある。
【０００７】
本発明は、上記事由に鑑みてなされており、その目的は、主光源から照射される光が障害物で妨げられて生ずる影を低減させることが可能な照明制御システムを提供することにある。
【課題を解決するための手段】
【０００８】
本発明の照明制御システムは、主光源と、補助光源と、照明制御部と、センサ部と、を備えている。上記主光源は、被照射面に光を照射させる。上記補助光源は、上記被照射面に上記主光源と異なる角度から光を照射させる。上記照明制御部は、上記補助光源の点灯を制御する。上記センサ部は、検知領域における障害物の存在を検知して検知信号を出力する。上記照明制御部は、普段モードと、夜間モードと、影低減モードとを有している。上記照明制御部は、普段モードにおいて、上記主光源のみを点灯させる。上記照明制御部は、夜間モードにおいて、上記主光源を所定の第１調光レベルで点灯させ、上記補助光源を所定の第２調光レベルで点灯させる。上記照明制御部は、影低減モードにおいて、検知信号に基づき上記補助光源の点灯を制御させて、上記主光源から照射される光が上記障害物で妨げられて生ずる影を低減させる。上記障害物は、無線機能を備えた電子機器である。上記照明制御部は、上記電子機器と通信する無線通信部と接続されており、上記電子機器から前記無線通信部を介して受信した無線信号に基づいて、上記影低減モードで制御する。上記照明制御部は、上記電子機器から所定の無線信号を前記無線通信部を介して受信すると、上記影低減モードを終了する。
【発明の効果】
【０００９】
本発明の照明制御システムは、主光源から照射される光が障害物で妨げられて生ずる影を低減させることが可能になる、という効果がある。
【図面の簡単な説明】
【００１０】
【図１】図１は、実施形態１の照明制御システムを説明する概略図である。
【図２】図２は、実施形態１の照明制御システムを示すブロック図である。
【図３】図３は、実施形態１において検知信号が出力される例を示す説明図である。
【図４】図４は、実施形態１の他の照明制御システムを説明する概略図である。
【図５】図５は、実施形態１のさらに他の照明制御システムを説明する概略図である。
【図６】図６は、実施形態２の照明制御システムを示すブロック図である。
【図７】図７は、実施形態２の照明制御システムを示す外観斜視図である。
【図８】図８は、実施形態２の照明制御システムを説明するフローチャート図である。
【図９】図９は、実施形態２の別の照明制御システムを説明する概略図である。
【発明を実施するための形態】
【００１１】
（実施形態１）
以下では、本実施形態の照明制御システム１０を、図１および図２に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明制御システム１０は、図１および図２に示すように、主光源１と、補助光源２と、照明制御部３と、センサ部４と、を備えている。主光源１は、被照射面１０ａａに光を照射させる。図１では、主光源１から照射される光を、「Ｌ１」の文字を付した一点鎖線の矢印で例示している。補助光源２は、被照射面１０ａａに主光源１と異なる角度から光を照射させる。図１では、補助光源２から照射される光を、「Ｌ２」の文字を付した破線の矢印で例示している。センサ部４は、検知領域４ａａにおける障害物２１の存在を検知して検知信号を出力する。図１では、センサ部４の検知領域４ａａを２点鎖線の矢印で例示している。照明制御部３は、影低減モードを有している。照明制御部３は、影低減モードにおいて、検知信号に基づき補助光源２の点灯を制御させて、主光源１から照射される光Ｌ１が障害物２１で妨げられて生ずる影２３を低減させる。図３には、障害物２１で妨げられて生ずる影２３を例示している。
【００１３】
本実施形態の照明制御システム１０は、照明制御部３が影低減モードを有しているので、主光源１から照射される光Ｌ１が障害物２１で妨げられて生ずる影２３を低減させることが可能となる。
【００１４】
以下では、照明制御システム１０のより具体的な構成について説明する。
【００１５】
本実施形態の照明制御システム１０は、図１に示すように、操作部７と、照明装置１１と、を有している。照明装置１１は、主光源１と補助光源２と照明制御部３とセンサ部４とに加え、器具本体５と、電源回路部８と、を備えている。すなわち、本実施形態の照明制御システム１０では、主光源１と補助光源２とは、１つの照明器具に備えられている。照明装置１１は、信号線で操作部７と電気的に接続されている。
【００１６】
照明装置１１は、建築物の天井材３０ｃに直付けされるシーリングライトを構成している。シーリングライトは、円盤状の外形形状をしている。照明装置１１は、被照射面１０ａａと対向する器具本体５の一表面側に主光源１が配置されている。主光源１は、天井面３０ｃａ側から鉛直方向に向かって光Ｌ１を照射する。照明装置１１は、器具本体５の一表面と反対の他表面側に補助光源２が配置されている。補助光源２は、天井面３０ｃａや壁面３０ｂａ側に光Ｌ２を照射する。補助光源２からの光Ｌ２は、天井面３０ｃａや壁面３０ｂａで反射されて被照射面１０ａａに向かう。照明装置１１は、器具本体５の中央部にセンサ部４が設けられている。照明装置１１は、天井材３０ｃ側から鉛直方向に向かう検知領域４ａａにおいて、センサ部４が障害物２１の存在の有無を検知できるように配置されている。検知領域４ａａは、センサ部４の検知性能や障害物２１の存在の有無を検知させたい領域に応じて、適宜に設定することができる。図１では、障害物２１として、電子機器２５や人２７を例示している。電子機器２５は、たとえば、デジタルカメラやカメラ機能付きの携帯電話などの撮像装置２６が挙げられる。操作部７は、壁材３０ｂに取り付けられている。操作部７は、押しボタンの押操作がされることで、照明装置１１へ操作信号を送信できるように構成されている。
【００１７】
主光源１は、図２に示すように、第１光源１ａと、第１光源１ａを点灯させる点灯回路１ｂと、点灯回路１ｂを制御する点灯制御回路１ｃと、を備えている。
【００１８】
第１光源１ａは、ＬＥＤユニットで構成されている。ＬＥＤユニットは、複数の発光ダイオードを有している。ＬＥＤユニットは、たとえば、複数の発光ダイオードを電気的に直列接続、並列接続や直並列接続させて構成することができる。第１光源１ａは、たとえば、昼光色や電球色の光が照射できるように構成されている。
【００１９】
点灯回路１ｂは、電源回路部８を介して、外部の商用交流電源と電気的に接続される。点灯回路１ｂは、第１光源１ａに所定の電力を給電する。点灯回路１ｂは、たとえば、降圧チョッパ回路を備えたスイッチング電源回路で構成させることができる。点灯回路１ｂは、ＬＥＤユニットに適した直流電圧に降圧できるように構成されている。
【００２０】
点灯制御回路１ｃは、点灯回路１ｂと電気的に接続されている。点灯制御回路１ｃは、ＰＷＭ(pulse width modulation)の制御信号を出力して、点灯回路１ｂの駆動を制御することができるように構成されている。点灯制御回路１ｃは、制御信号により点灯回路１ｂを構成するスイッチング素子のオン・デューティを制御することで、第１光源１ａに流れる電流を制御することができる。点灯制御回路１ｃは、たとえば、ＣＰＵ(Central Processing Unit)などを用いたマイクロコンピュータにより構成できる。点灯制御回路１ｃは、適宜のプログラムに基づいて、駆動できるように構成されている。点灯制御回路１ｃは、点灯回路１ｂの駆動を制御することで、第１光源１ａの点灯、消灯や調光を行うことができる。
【００２１】
補助光源２は、第２光源２ａと、第２光源２ａを点灯させる点灯回路部２ｂと、点灯回路部２ｂを制御する点灯制御部２ｃと、を備えている。
【００２２】
第２光源２ａは、たとえば、ＬＥＤモジュールを構成することができる。ＬＥＤモジュールは、発光ダイオードを実装基板に実装した構成することができる。ＬＥＤモジュールは、複数個の発光ダイオードを電気的に直列接続、並列接続や直並列接続させた構成とすることができる。ＬＥＤモジュールでは、発光ダイオードとして、白色光を発光する白色発光ダイオードと、赤色光を発光する赤色発光ダイオードと、緑色光を発光する緑色発光ダイオードと、青色光を発光する青色発光ダイオードと、を用いることができる。補助光源２は、異なる発光色の発光ダイオードごとに出力が調整できるように、第２光源２ａと点灯回路部２ｂとが電気的に接続されている。
【００２３】
点灯回路部２ｂは、電源回路部８を介して、外部の商用交流電源から電力が供給される。点灯回路部２ｂは、第２光源２ａにおける異なる発光色の発光ダイオードごとに、所定の電力を給電できるように構成されている。点灯回路部２ｂは、第２光源２ａにおける異なる発光色の発光ダイオードそれぞれに対応して、複数の降圧チョッパ回路を備えたスイッチング電源回路で構成させることができる。
【００２４】
点灯制御部２ｃは、点灯回路部２ｂと電気的に接続されている。点灯制御部２ｃは、ＰＷＭの制御信号を出力して、点灯回路部２ｂにおける複数の降圧チョッパ回路に設けたスイッチング素子の駆動を各別に制御できるように構成されている。点灯制御部２ｃは、たとえば、適宜のプログラムに基づいて駆動するマイクロコンピュータを用いて構成することができる。点灯制御部２ｃは、点灯回路部２ｂの駆動を制御することで、第２光源２ａの点灯、消灯、調光や調色を行うことができる。
【００２５】
照明制御部３は、制御回路部３ａと、記憶部３ｂと、を備えている。制御回路部３ａは、主光源１と補助光源２それぞれに電気的に接続されている。制御回路部３ａは、記憶部３ｂに記憶された複数のモードから選択された１つのモードに基づいて主光源１と補助光源２とをそれぞれ制御できるように構成されている。記憶部３ｂには、記憶させているモードとして、たとえば、普段モードと、夜間モードと、影低減モードと、を備えている。普段モードは、たとえば、主光源１の光出力のみで照明装置１１を点灯させるモードとしている。夜間モードは、たとえば、主光源１を６０％の光出力に調光し、補助光源２を７０％の光出力で点灯させるモードとしている。制御回路部３ａは、検知信号が入力されるように、センサ部４と電気的に接続されている。照明制御部３は、操作部７からの操作信号により、たとえば、普段モードなど他のモードから影低減モードへ切り替えることができるように、操作部７と制御回路部３ａとが電気的に接続されている。
【００２６】
照明制御部３は、影低減モードに切り替えられた場合、検知信号に基づいて、補助光源２の点灯を制御できるように構成されている。照明制御部３は、補助光源２から照射される光Ｌ２の光出力や色調を、記憶部３ｂに予め記憶された光出力や色調で点灯させるように、点灯制御部２ｃへ照明信号を出力する。照明制御部３は、検知信号に基づいて、補助光源２の点灯に加え、主光源１の点灯を制御してもよい。照明制御部３は、影低減モードにおいて、主光源１から照射される光Ｌ１を、記憶部３ｂに予め記憶された光出力で点灯させるように、点灯制御回路１ｃへ照明制御信号を出力する。
【００２７】
制御回路部３ａは、適宜のプログラムに基づいて駆動するマイクロコンピュータを用いて構成することができる。記憶部３ｂは、影低減モードにおいて、補助光源２から照射させる光Ｌ２の光出力や色調に関する特性情報を予め記憶させている。記憶部３ｂは、影低減モードにおいて、主光源１から照射させる光Ｌ１の光出力に関する特性情報を予め記憶させていてもよい。記憶部３ｂは、たとえば、不揮発性の半導体メモリであるＥＥＰＲＯＭ（Electrically Erasable Programmable Read-Only Memory）などを用いて構成することができる。
【００２８】
センサ部４は、画像センサを利用して構成させることができる。画像センサは、撮像素子４ａと、画像処理部４ｂと、を備えている。撮像素子４ａは、たとえば、ＣＭＯＳ（Complementary Metal Oxide Semiconductor）イメージセンサやＣＣＤ（Charge Coupled Device）イメージセンサなどの固体撮像素子を利用することができる。撮像素子４ａは、画像データを取得できるように構成されている。センサ部４は、所定の時間間隔で、自動的に撮像素子４ａから画像データを取得するように構成されている。
【００２９】
画像処理部４ｂは、撮像素子４ａが撮像して生成した画像データを、演算処理できるように構成されている。画像処理部４ｂは、ＦＰＧＡ(field-programmable gate array)と、ＤＳＰ（Digital Signal Processor）と、を用いて構成することができる。画像処理部４ｂは、撮像素子４ａが撮像して生成した画像データや天井材３０ｃ側から見た人２７や撮像装置２６など障害物２１の輪郭形状データを記憶するメモリを備えている。メモリは、たとえば、ＤＲＡＭ（Dynamic Random Access Memory）やＳＤＲＡＭ（Synchronous DRAM）を用いて構成することができる。
【００３０】
画像処理部４ｂは、撮像素子４ａが撮像して生成した画像データを一時的にメモリに記憶させる。画像処理部４ｂは、画像データに対し、画像差分処理を行う。画像差分処理では、たとえば、予め撮像素子４ａで撮像された背景画像と、撮像素子４ａで撮像された現在画像と、が比較される。画像処理部４ｂは、現在画像と背景画像とを比較して、画素ごとの差分を取った差分画像の抽出処理が行われる。差分画素の抽出処理では、障害物２１が存在する場合、現在画像には、背景画像との間で変化が生じる。
【００３１】
画像処理部４ｂは、差分画素の抽出処理を行った後、抽出された差分画素の集団の輪郭の形状に対し、メモリに記憶された障害物２１の輪郭の形状データとどれくらい一致するかを判断する画像識別の処理を行う。画像処理部４ｂでは、たとえば、差分画素に対する認識処理として、SobelフィルタやPrewitフィルタなどを用いて輪郭の形状を抽出することができる。画像処理部４ｂは、画像識別の処理により、障害物２１の存在を検知すれば、障害物２１の存在を示す検知信号を照明制御部３に出力する。
【００３２】
すなわち、本実施形態の照明制御システム１０では、センサ部４は、画像センサである。
【００３３】
照明制御システム１０は、センサ部４が画像センサで構成されていることにより、障害物２１の存在の有無の判別精度を高くすることが可能となる。
【００３４】
センサ部４は、画像センサを用いる構成だけに限られず、距離センサを用いて構成してもよい。距離センサは、発光素子と、受光素子とを備えた構成とすることができる。距離センサでは、受光素子にＰＳＤ(Position Sensitive Detector)を用いて、距離変化に伴う受光素子の結像位置の変化を距離に換算する三角測距方式を利用することができる。距離センサは、発光素子からの光が照射されてから受光素子が受光するまでの時間を測定し、時間差を距離に換算するタイム・オブ・フライト式を用いてもよい。センサ部４は、距離センサの測定値が予め設定された距離よりも近ければ、障害物２１の存在を示す検知信号を照明制御部３に出力するように構成されていればよい。センサ部４は、距離センサで構成されていることにより、画像センサと比較して、簡単な構成とすることができる。
【００３５】
操作部７は、照明装置１１の点灯、消灯や調光を制御できるように構成されている。操作部７は、たとえば、複数の押しボタンと、複数のフェーダを備えた構成とすることができる。操作部７は、押しボタンの押操作に対応した操作入力を受け付け、受け付けた操作入力に対応する操作信号を照明制御部３に出力する。フェーダは、スライド操作可能な操作摘み部を有する入力デバイスを構成している。操作部７は、操作摘み部の位置に応じた操作入力をフェーダから受け取り、受け取った操作入力に対応する操作信号を出力する。フェーダにおける操作入力は、たとえば、主光源１や補助光源２の調光レベルに対応するように構成されている。操作部７は、照明装置１１を制御できればよく、有線だけでなく、無線で制御する構成でもよい。操作部７は、照明装置１１と赤外線で通信するリモートコントローラであってもよい。
【００３６】
電源回路部８は、たとえば、商用交流電源を所定の電力に降圧して出力することができるように構成されている。電源回路部８は、交流電力を整流する整流回路と、整流回路からの出力を平滑する平滑コンデンサと、所望の電圧に変換するチョッパ回路などを含む力率改善回路などを含んだ構成とすることができる。
【００３７】
電源回路部８は、主光源１の点灯回路１ｂと補助光源２の点灯回路部２ｂとに電力を供給できるように構成される場合だけでない。電源回路部８は、点灯制御回路１ｃや点灯制御部２ｃを駆動させる駆動用の電力を生成するだけでなく、照明制御部３とセンサ部４とに電力を供給することができるように構成されている。すなわち、電源回路部８は、照明装置１１の駆動用の電力を供給できるように構成されている。
【００３８】
以下では、照明制御システム１０の基本的動作について説明する。
【００３９】
照明制御システム１０では、たとえば、人２７が撮像装置２６を使用する場合、図３に示すように、撮像装置２６や人２７などが主光源１から照射される光Ｌ１の障害物２１となって、意図せず被写体２２に撮影者の影２３が重なるおそれがある。
【００４０】
また、撮像装置２６は、撮影環境が暗い場合、フラッシュが使用される場合もある。しかしながら、フラッシュ撮影では、撮影者がフラッシュ撮像時の被写体２２の見栄えを確認できないことがある。
【００４１】
さらに、撮像装置２６によっては、フラッシュ撮影時に照射されるフラッシュの光成分が自然光の光成分からずれている場合、被写体２２である料理などを美しく撮影することが難しい場合もある。
【００４２】
レストランなどの店舗では、顧客が店舗の料理を撮影してブログにアップロードすると、顧客の撮像装置２６の性能如何によって、店舗の料理の見栄えが大きく左右されるおそれがある。
【００４３】
本実施形態の照明制御システム１０では、たとえば、操作部７からの操作信号により照明制御部３が影低減モードになっていると、照明制御部３が検知領域４ａａにおける障害物２１の有無を検出するように、センサ部４を制御する。センサ部４は、撮像素子４ａが所定の時間間隔で撮像して生成した画像データの画像識別の処理により、障害物２１の存在を検知すれば、検知信号を制御回路部３ａに出力する。
【００４４】
制御回路部３ａは、影低減モードにおいて検知信号が入力されると、照明信号を補助光源２の点灯制御部２ｃへ送信する。照明信号には、たとえば、影低減モードにおいて検知信号が入力されると、補助光源２から照射される光Ｌ２を記憶部３ｂに記憶された色調と光出力で照射させる信号が含まれている。点灯制御部２ｃは、照明信号に基づいて、第２光源２ａから所定の色調の光Ｌ２を、所定の光出力で照射させるように点灯回路部２ｂを制御する。制御回路部３ａは、たとえば、センサ部４からの検知信号により、検知した障害物２１の大きさが所定の大きさよりも大きければ、補助光源２から照射させる光Ｌ２をより強くさせるように制御してもよい。
【００４５】
照明制御システム１０は、センサ部４の検知結果に基づいて、照明制御部３が主光源１の点灯を維持したまま、補助光源２を点灯させる。照明制御システム１０では、主光源１から被照射面１０ａａへ鉛直方向に光Ｌ１を照射させるのに対し、被写体２２の側面から補助光源２の光Ｌ２を照射する。照明制御システム１０では、センサ部４の検知結果に基づいて、照明制御部３が補助光源２の点灯に加え、主光源１の点灯を制御するように構成されていてもよい。
【００４６】
本実施形態の照明制御システム１０では、照明制御部３は、主光源１から被照射面１０ａａへの光Ｌ１に対し、補助光源２から被照射面１０ａａへ照射される光Ｌ２の光強度を強くすることが好ましい。
【００４７】
照明制御システム１０では、主光源１から被照射面１０ａａへの光Ｌ２に対し、補助光源２から被照射面１０ａａへ照射される光Ｌ２の光強度を強くすることで、被照射面１０ａａ側に障害物２１の影２３が生ずることを、より低減させることができる。
【００４８】
制御回路部３ａは、影低減モードにおいて検知信号が入力されると、予め設定された照明指令を主光源１の点灯制御回路１ｃに送信する。照明指令は、たとえば、影低減モードにおいて検知信号が入力されると、主光源１から照射される光Ｌ１の光出力を所定の光出力に低減する指令が含まれている。点灯制御回路１ｃは、照明指令に基づいて、第１光源１ａからの光出力を低減させるように、点灯回路１ｂを制御する。
【００４９】
すなわち、本実施形態の照明制御システム１０では、照明制御部３は、さらに、主光源１の点灯を制御でき、影低減モードの場合、主光源１からの光Ｌ１を低減させる制御を行うことが好ましい。
【００５０】
照明制御システム１０では、主光源１から照射される光Ｌ１の光出力を所定の光出力に低減させ、補助光源２から照射される光Ｌ２を相対的に強くさせることで、主光源１からの光Ｌ１が障害物２１で遮られて生ずる影２３を、より低減させることが可能となる。照明制御システム１０は、センサ部４の検知信号に基づいて障害物２１の存在を検知した場合、たとえば、主光源１を１００％の光出力から８０％の光出力へ減光させ、かつ補助光源２を未点灯状態から９０％の光出力に点灯させることができる。
【００５１】
さらに、照明制御システム１０は、単に、被写体２２に重なる影２３を低減させるだけに限られず、補助光源２から照射される光Ｌ２の光出力を制御することで、被写体２２を色鮮やかに撮像することできるように光Ｌ２を調整することもできる。
【００５２】
すなわち、照明制御システム１０では、たとえば、補助光源２は、色域面積比Ｇａが１００以上の光Ｌ２を照射させるように構成されていることが好ましい。
【００５３】
照明制御システム１０は、補助光源２からの光Ｌ２が色域面積比Ｇａで１００以上の場合、撮像装置２６のフラッシュ光成分の如何に係わらず、被写体２２を色鮮やかに撮像することが可能となる。補助光源２は、色域面積比Ｇａが１００以上となるように、蛍光体を備えた白色発光ダイオードにおける蛍光体の種類、や異なる発光色における発光ダイオードの発光波長を適宜に選択して構成すればよい。
【００５４】
照明制御システム１０は、第２光源２ａにおける発光色の異なる発光ダイオードごとの光出力を、記憶部３ｂに記憶された光出力比で調整し、色域面積比Ｇａが１００以上の光を被照射面１０ａａに照射させるように構成している。
【００５５】
色域面積比Ｇａは、JIS Z 8726-19990で規定されており、演色評価数を補足する評価値として、演色の主観的な好ましさを推定できることが知られている。JIS Z 8726-19990では、色域面積比Ｇａの求め方が記載されている。色域面積比Ｇａは、値が小さいほど試験色１−８の色ずれが平均的に見て彩度を減じる方向にあり、色がよりくすんで見える傾向にある。色域面積比Ｇａが１００より大きい場合は、平均的に彩度が増加する方向にあり、色がより鮮やかに見える傾向にある。一般の物体色は、彩度が増して見えるほどきれいに感じられ、好まれる傾向にある。
【００５６】
本実施形態の照明制御システム１０では、主光源１は、被照射面１０ａａとして、食卓を含むように配置されていることが好ましい。
【００５７】
一般に食卓に配置される食物は、有彩色の色相のバリェーションが豊富であり、光で反射される見栄えの差が顕著に表れる傾向にある。照明制御システム１０は、主光源１が被照射面１０ａａとして食卓を含むように配置され、主光源１とは異なる角度から補助光源２の光Ｌ２が照射されることで、補助光源２を利用して、食物を見栄えをよくすることが可能となる。
【００５８】
本実施形態の照明制御システム１０は、図１に示す主光源１と補助光源２とが１つの照明器具に備えられた構成だけに限られない。本実施形態の照明制御システム１０の変形例では、図４に示すように、主光源１と補助光源２とを別体に備えた構成としてもよい。照明制御システム１０では、１つの主光源１に対し、複数の補助光源２を備えた構成としている。
【００５９】
図４に示す照明制御システム１０では、居室に直付けされた基礎的な照明であるベースライトを用いて主光源１を構成している。補助光源２は、壁面３０ｂａに取り付けられたブラケットを用いて構成している。補助光源２を構成するブラケットは、主光源１を構成するベースライトの照明制御部３と、有線や無線により点灯が制御されるように構成されている。図４では、センサ部４が主光源１に備えられた構成としているが、補助光源２にセンサ部４を備えた構成としてもよい。
【００６０】
図５に示す照明制御システム１０の変形例では、居室に直付けされた基礎的な照明であるベースライトを用いて主光源１を構成している。補助光源２は、デスクライトなどを用いて構成している。補助光源２を構成するデスクライトは、主光源１を構成するベースライトの照明制御部３と、有線や無線により点灯が制御されるように構成されている。
【００６１】
図４または図５に示す本実施形態の変形例でも、図１と同様に、障害物２１で妨げられて生ずる影２３を低減することができる。
【００６２】
（実施形態２）
本実施形態の照明制御システム１０は、実施形態１と無線通信部６を備えた点が主として相違する。実施形態１と同様の構成要素については、同一の符号を用いて適宜説明を省略する。
【００６３】
本実施形態の照明制御システム１０では、図６および図７に示すように、障害物２１は、無線通信器２６ｃを備えた電子機器２５である。照明制御部３は、電子機器２５と通信する無線通信部６と接続されている。照明制御部３は、電子機器２５からの無線信号に基づいて、影低減モードで制御する。
【００６４】
本実施形態の照明制御システム１０は、照明制御部３が電子機器２５と通信する無線通信部６と接続されていることで、電子機器２５からの無線信号に基づいて、影低減モードにさせることが可能となる。
【００６５】
以下では、本実施形態の照明制御システム１０について説明する。
【００６６】
照明制御システム１０は、主光源１と補助光源２とセンサ部４とに加え、照明コントローラ１２を備えている。照明コントローラ１２は、照明制御部３と、無線通信部６と、操作部７と、を備えている。照明制御部３は、制御回路部３ａと、記憶部３ｂとに加え、タイマ部３ｃを備えている。タイマ部３ｃは、時刻を計時する。タイマ部３ｃは、マイクロコンピュータを利用して構成することができる。制御回路部３ａは、無線通信部６と接続されている。無線通信部６は、照明コントローラ１２と電子機器２５との間で無線信号の送受信を行うことができるように構成されている。無線通信部６は、信号発信部６ａと、信号受信部６ｂと、を備えている。
【００６７】
照明制御システム１０では、照明コントローラ１２と電子機器２５とが相互に無線通信可能に構成されている。照明コントローラ１２は、撮像装置２６からの無線信号でセンサ部４を起動させるように構成されている。
【００６８】
本実施形態の照明制御システム１０では、電子機器２５として、撮像装置２６が用いられている。電子機器２５は、たとえば、デジタルカメラやカメラ機能付きの携帯電話などの撮像装置２６が挙げられる。電子機器２５は、撮像装置２６だけに限られず、携帯ゲーム機、ラップトップパソコンなどであってもよい。撮像装置２６は、撮像部２６ａと、撮像部２６ａを制御する制御部２６ｂと、照明コントローラ１２と通信する無線通信器２６ｃと、制御部２６ｂに操作指令を入力する操作入力部２６ｄと、を備えている。無線通信器２６ｃは、無線通信部６の信号受信部６ｂへ無線信号を送信する信号発信器２６ｃａと、無線通信部６の信号発信部６ａからの無線信号を受信する信号受信器２６ｃｂと、を備えている。
【００６９】
本実施形態の照明制御システム１０は、図７に示すように、天井材３０ｃからコードなどで吊り下げられる複数のペンダント照明を構成している。補助光源２は、パネル状の光源を用いて構成している。パネル状の光源は、有機エレクトロルミネッセンス素子を用いて構成してもよいし、発光ダイオードを利用して構成してもよい。図７では、複数の主光源１と複数の補助光源２と照明制御部３を備えた照明コントローラ１２と複数のセンサ部４とがそれぞれ空間的に別体に配置されている。図７では、照明コントローラ１２と電子機器２５との無線信号を破線の矢印で例示している。
【００７０】
本実施形態の照明制御システム１０は、複数の補助光源２が、複数の主光源１と別体に設けられることで、被写体２２により生ずる影２３の影響をより少なくさせることが可能となる。
【００７１】
次に、本実施形態の照明制御システム１０における動作を、図８に示すフローチャートを用いて説明する。
【００７２】
照明制御システム１０では、撮像装置２６の操作入力部２６ｄが操作され、照明制御部３に影低減モードを起動させる指令を無線通信器２６ｃから無線通信部６へ送信する。以下では、撮像装置２６であるカメラ機能付きの携帯電話として、スマートフォンの例を説明する。
【００７３】
スマートフォンには、カメラ機能の立ち上げに連動して、スマートフォンのオペレーティングシステム上で動かすことが可能なアプリケーションが予めインストールされている。スマートフォンは、たとえば、アプリケーションの駆動中にカメラ機能が立ち上げられると、無線ＬＡＮなどの規格に準拠した無線通信を利用して、照明制御部３に影低減モードを起動させる起動信号を送信する。
【００７４】
最初に、照明制御システム１０は、照明コントローラ１２の操作部７が操作されて、制御をスタートするように構成されている。照明制御システム１０は、ステップ１において、操作部７からの操作信号により、照明制御部３が主光源１を点灯させる。ステップ１では、主光源１が点灯しているものの、補助光源２が消灯した状態となっている。図８では、ステップを「Ｓ」として示している。
【００７５】
照明制御システム１０では、操作部７が操作されることで、影低減モードが起動できるように設定される。照明制御部３は、影低減モードが設定されると、センサ部４を起動させる。照明制御システム１０では、ステップ２において、センサ部４が障害物２１として電子機器２５の存在の有無を検知する。センサ部４は、電子機器２５の存在を検知すると、検知信号を照明制御部３に出力する。照明制御部３は、センサ部４が電子機器２５を検知しない場合、主光源１の点灯を維持し、補助光源２が消灯した状態となる。
【００７６】
照明制御システム１０では、照明制御部３がセンサ部４からの検知信号を検知した場合、照明制御部３は、ステップ３において、無線通信部６を介して、電子機器２５から信号を受信したか否かの有無を判別する。照明制御部３は、電子機器２５から影低減モードの起動の信号を受信していない場合、主光源１の点灯を維持し、補助光源２が消灯した状態となっている。
【００７７】
本実施形態の照明制御システム１０では、スマートフォンのアプリケーションの駆動中にカメラ機能が立ち上げられることで、無線通信器２６ｃから影低減モードを起動させる無線信号を無線通信部６へ送信する。スマートフォンでは、影低減モードの起動ボタンの押操作やカメラ機能のシャッタ操作に基づいて、無線信号を照明コントローラ１２側へ送信するように構成されていてもよい。照明制御システム１０では、電子機器２５側からの無線信号でデジタルカメラやスマートフォンの種別に応じて、調光、調色を行うように制御してもよい。
【００７８】
照明制御システム１０では、影低減モードが起動している旨の情報が含まれた無線信号を、信号発信部６ａからスマートフォン側へ送信して影低減モードの起動が完了する。照明制御システム１０では、調光条件に応じた露光制御データをスマートフォン側に無線信号で送信してもよい。
【００７９】
照明制御部３は、スマートフォンからの無線信号を受信した場合、ステップ４において、被写体２２への主光源１から照射された光Ｌ１によって生ずる影２３を低減させるように補助光源２を点灯させる。点灯制御部２ｃは、点灯回路部２ｂを制御して、補助光源２から所定の色調で所定の光出力の光Ｌ２を照射させる。照明制御システム１０では、主光源１の点灯を維持し、補助光源２も点灯した状態となる。照明制御システム１０では、主光源１を、減光や消灯するように制御してもよい。照明制御システム１０は、点灯制御部２ｃが照明制御部３からの照明信号に基づいて、点灯回路部２ｂを制御する。
【００８０】
照明制御システム１０では、ステップ５において、制御回路部３ａがスマートフォンからの影低減モードを起動させる無線信号を受け取ってから、タイマ部３ｃで計時した所定の規定時間が経過したか否かを判別する。
【００８１】
スマートフォンは、撮影が終了すれば、照明コントローラ１２へ撮影終了の信号を送信する。
【００８２】
制御回路部３ａは、規定時間が経過している場合、スマートフォンでの撮影が終わったとみなし、影低減モードの起動前の元の条件として、補助光源２を消灯させ主光源１の点灯を維持する。言い換えれば、照明制御システム１０は、規定時間の経過後、主光源１および補助光源２を元の条件に戻す。
【００８３】
制御回路部３ａは、規定時間が経過していない場合、ステップ６において、スマートフォンからの撮像完了信号の受信の有無を確認する。制御回路部３ａは、タイマ部３ｃが計時中に、撮像完了信号が未受信の場合、タイマ部３ｃのカウントをリセットする。照明制御システム１０は、タイマ部３ｃがリセット後に新たにカウントダウンを完了するまでの規定時間の間、補助光源２の点灯を維持させることができる。
【００８４】
照明制御システム１０は、ステップ６で撮影終了の信号をスマートフォン側から照明コントローラ１２が受信すると、照明制御を元の状態に戻す。
【００８５】
本実施形態の照明制御システム１０では、照明コントローラ１２と電子機器２５との相互通信により、多彩な光制御を行うことが可能となる。
【００８６】
本実施形態の照明制御システム１０は、図７に示す構成だけに限られず、図９に示す変形例のように、補助光源２として、床面に置かれたスタンドライトを備えた構成としてもよい。図９に示す照明制御システム１０においては、照明装置１１と電子機器２５とで相互に無線通信できるように構成されている。本実施形態の照明制御システム１０は、電子機器２５との通信機能を備えた以外、実施形態１のいずれの構成で形成されてもよい。
【符号の説明】
【００８７】
１  主光源
２  補助光源
３  照明制御部
４  センサ部
４ａａ  検知領域
１０  照明制御システム
１０ａａ  被照射面
２１  障害物
２３  影
２５  電子機器
【図１】
0006697730.tif 000002
【図２】
0006697730.tif 000003
【図３】
0006697730.tif 000004
【図４】
0006697730.tif 000005
【図５】
0006697730.tif 000006
【図６】
0006697730.tif 000007
【図７】
0006697730.tif 000008
【図８】
0006697730.tif 000009
【図９】
0006697730.tif 000010